(57)【要約】【課題】印刷されるラベルのデータを簡単に入力できるようにしたラベルプリンタを提供する。【解決手段】ラベルプリンタ１Ａは、ラベル２のデータファイル４１と、符号化情報をラベル２に印刷される特定情報に変換する変換規則が定義された変換ファイル４２とをメモリカード４０から取得する。入力操作部１３で２次元コード等の符号化情報を読み取ると、変換ファイル４２を参照して、入力値を復号して特定情報３に変換して出力する。【選択図】  図１
2010221428.tif 000002
【特許請求の範囲】
【請求項１】
入力される符号化情報を、ラベルに特定情報として出力するラベルプリンタであって、
符号化情報を入力する情報入力手段と、
符号化情報を特定情報に変換する変換規則が定義された変換規則情報を取得する変換規則情報取得手段と、
前記情報入力手段によって入力された符号化情報を、前記変換規則情報取得手段により取得された変換規則情報の変換規則に従って特定情報に変換する制御手段と
を備えたことを特徴とするラベルプリンタ。
【請求項２】
前記変換規則情報取得手段で取得される変換規則情報では、符号化情報を項目毎に分割する変換規則が定義され、
前記制御手段は、前記情報入力手段で入力された符号化情報を、変換規則情報で定義された変換規則に従い分割して復号し、項目毎の特定情報に変換する
ことを特徴とする請求項１記載のラベルプリンタ。
【請求項３】
前記変換規則情報取得手段で取得される変換規則情報では、特定情報を識別する表示名と変換情報が関連付けられ、
前記制御手段は、特定情報を識別する表示名を表示手段に表示して、符号化情報から取得する特定情報を選択する
ことを特徴とする請求項１または２記載のラベルプリンタ。
【請求項４】
ラベル作成画面が表示される表示手段と、
ラベルを作成する情報が入力される情報入力手段と、
符号化情報をラベルに印刷される特定情報に変換する変換規則が定義された変換規則情報を参照して、ラベル作成画面に表示したラベルのレイアウトで、符号化情報から変換される特定情報が入力される情報入力枠を設定して、符号化情報から変換される特定情報が印刷されるラベルを作成できるようにする制御手段と
を備えたことを特徴とする情報処理装置。
【発明の詳細な説明】
【技術分野】
【０００１】
本発明は、ラベルを印刷するラベルプリンタ及びラベルプリンタで印刷されるラベルを作成する情報処理装置に関する。
【背景技術】
【０００２】
従来から、リール状に巻回された台紙に貼り付けられた複数のラベルにデータを印刷するラベルプリンタが知られている。このようなラベルプリンタとして、パーソナルコンピュータで作成されたラベルのデータを、メモリカード等の記録媒体を介して取得して、パーソナルコンピュータに接続されていなくてもラベルを印刷できるようにしたラベルプリンタが提案されている（例えば、特許文献１参照）。
【先行技術文献】
【特許文献】
【０００３】
【特許文献１】特開２００５−２３８５２４号公報
【発明の概要】
【発明が解決しようとする課題】
【０００４】
パーソナルコンピュータで作成されたラベルのデータを、ラベルプリンタで変更する場合、値を変更する項目毎に情報を入力しなければならず、入力に手間が掛かっていた。
【０００５】
また、符号化された数字で入力することで、ラベルにバーコードを印刷できる機能を有するラベルプリンタが提案されているが、符号化に必要なデータを正確に入力する必要があり、やはり入力に手間が掛かっていた。
【０００６】
本発明は、このような課題を解決するためになされたもので、印刷されるラベルのデータを簡単に入力できるようにしたラベルプリンタ及びデータを簡単に入力できるようにしたラベルを作成する情報処理装置を提供することを目的とする。
【課題を解決するための手段】
【０００７】
上述した課題を解決するため、本発明は、入力される符号化情報を、ラベルに特定情報として出力するラベルプリンタであって、符号化情報を入力する情報入力手段と、符号化情報を特定情報に変換する変換規則が定義された変換規則情報を取得する変換規則情報取得手段と、情報入力手段によって入力された符号化情報を、変換規則情報取得手段により取得された変換規則情報の変換規則に従って特定情報に変換する制御手段とを備えたラベルプリンタである。
【０００８】
本発明のラベルプリンタでは、情報入力手段で２次元コードや１次元コード等の符号化情報が入力されると、変換規則情報で定義される変換規則に従い復号されて、ラベルに印刷される品名や日付等の特定情報に変換され、特定情報が印刷されたラベルが発行される。
【０００９】
また、本発明は、ラベル作成画面が表示される表示手段と、ラベルを作成する情報が入力される情報入力手段と、符号化情報をラベルに印刷される特定情報に変換する変換規則が定義された変換規則情報を参照して、ラベル作成画面に表示したラベルのレイアウトで、符号化情報から変換される特定情報が入力される情報入力枠を設定して、符号化情報から変換される特定情報が印刷されるラベルを作成できるようにする制御手段とを備えた情報処理装置である。
【００１０】
本発明の情報処理装置では、ラベル作成画面に表示したラベルのレイアウトで情報入力枠を設定し、ラベルに印刷される各種情報を入力する。ラベルに印刷される特定情報を符号化情報から取得する項目については、符号化情報を特定情報に変換する変換規則が定義された変換規則情報を参照し、符号化情報から変換される特定情報が入力される情報入力枠を設定して、符号化情報から変換される特定情報が印刷されるラベルを作成できるようにする
【発明の効果】
【００１１】
本発明によれば、２次元コード等の符号化情報からラベルに印刷される特定情報を生成することができるので、ラベル内容を入力または変更する際の情報入力が簡素化される。
【図面の簡単な説明】
【００１２】
【図１】本実施の形態のラベルプリンタの一例を示す機能ブロック図である。
【図２】本実施の形態のラベルプリンタの一例を示す外観斜視図である。
【図３】ラベルを作成する処理の概要を示す説明図である。
【図４】変換ファイルの一例を示す説明図である。
【図５】ラベルプリンタで表示部に表示される情報入力画面の一例を示す説明図である。
【図６】ラベルを作成する処理の具体例を示す動作説明図である。
【図７】変換ファイルの具体例を示す説明図である。
【図８】本実施の形態の情報処理装置の一例を示す機能ブロック図である。
【図９】情報処理装置で表示部に表示されるラベル作成画面の一例を示す説明図である。
【図１０】情報処理装置で表示部に表示されるラベル作成画面の具体例を示す説明図である。
【発明を実施するための形態】
【００１３】
以下、図面を参照して、本発明のラベルプリンタ、ラベルを作成する情報処理装置、及びラベル作成システムの実施の形態について説明する。
【００１４】
＜本実施の形態のラベルプリンタの構成例＞
図１は、本実施の形態のラベルプリンタの一例を示す機能ブロック図、図２は、本実施の形態のラベルプリンタの一例を示す外観斜視図、図３は、ラベルを作成する処理の概要を示す説明図である。
【００１５】
まず、本実施の形態のラベルプリンタ１Ａで印刷されるラベル２について、図３を参照して説明すると、ラベル２には、食品や工業製品等の商品または製品を特定するための特定情報３が印刷される。図３において、模式的にＡａａ、Ａａｂ・・・等と表記した特定情報３は、具体的には、「饅頭」等の品名を示す商品情報、「○△菓子」等の製造者を示す製造者情報、「０９．１．３０」等の日付情報等である。更に、食品の内容表示等、ラベルが添付される商品や製品に応じて様々な情報が含まれる。
【００１６】
ラベル２には、特定情報３の項目の名称を示す項目情報４が印刷される。図３において、模式的にＡＡ、ＡＢ・・・等と表記した項目情報４は、具体的には、「品名」、「会社」等、文字列で表記される特定情報３が何を示すか特定する項目名、また、「製造年月日」と「消費期限」等の情報を区別する項目名等である。例えば、「０９．１．３０」との文字列で表記される特定情報３が、何の日付を示すか特定する必要があるとき、「製造年月日」等の項目情報４が、特定情報３に対応付けて印刷される。項目情報４は、特定情報３に対して必ず印刷される必要がある情報ではない。
【００１７】
ラベル２に印刷される特定情報３は、水平方向と垂直方向に情報を持つ２次元コード等の符号化情報５から取得される。
【００１８】
上述したラベル２を印刷する本実施の形態のラベルプリンタ１Ａは、例えば、図２に示すように、入力装置１０と印刷装置２０がケーブル３０で接続されて使用される。
【００１９】
ラベルプリンタ１Ａは、パーソナルコンピュータ等の情報処理装置で作成されたラベル２のレイアウトデータを、メモリカード４０等を利用して入力装置１０で取り込む。また、図３に示す符号化情報５を、光学的情報読取装置１０ａ等で取り込む。
【００２０】
メモリカード４０には、ラベル２に印刷される特定情報３と、特定情報３の項目名が項目情報４で関連付けられた単数または複数種類のラベル２のレイアウトデータが格納されたデータファイル４１と、符号化情報を復号する変換規則が格納される変換ファイル４２が記憶される。
【００２１】
ラベルプリンタ１Ａでは、ラベル２に印刷される特定情報３の項目が項目情報４で設定される。また、特定情報３と項目情報４等が符号化された符号化情報５を復号する変換規則が定義される。
【００２２】
ラベルプリンタ１Ａでは、単一項目または複数項目の特定情報３と項目を特定する項目情報４等が符号化された符号化情報５を取得すると、予め定められた変換規則に従い復号化して、単一項目または複数項目の特定情報３と項目情報４を生成する。
【００２３】
ラベルプリンタ１Ａでは、項目情報４で予め定められた項目に、復号化された特定情報３の値を入力し、特定情報３の値が入力されたラベル２のデータを、入力装置１０から印刷装置２０に出力して、印刷装置２０でラベル２を印刷する。
【００２４】
例えば、日付等の予め定められた項目について、２次元コード等の符号化情報５を復号して、視認により内容が確認できる表記の特定情報３を生成し、所定の項目に対応する特定情報３を印刷する。例えば、日付の項目に日付を示す値を印刷する。また、品名や日付等の予め定められた複数の項目について、合成された符号化情報を分割して復号し、項目毎に個別の特定情報３を生成して、各項目に対応して特定情報３を印刷する。
【００２５】
なお、符号化情報５は、２次元コードの他に、水平方向に情報を持つバーコード等と称される１次元コード、数字の配列、アルファベットの配列、数字とアルファベットを組み合わせた配列等を含む。また、復号化とは、１次元コードや２次元コードを数字や文字に変換するものだけではなく、複雑な表記の文字列等を、簡単な表記の文字列等に変換するものも含む。
【００２６】
以下に、ラベルプリンタ１Ａの各部の構成の詳細について説明する。入力装置１０は、メモリカード４０が接続される外部インタフェース（Ｉ／Ｆ）１１を備える。メモリカード４０と外部インタフェース１１は情報取得手段の一例で、外部インタフェース１１は、メモリカード４０が挿抜される図示しないスロットと、メモリカード４０に設けられた図示しない端子と接続する端子等を備え、メモリカード４０に対してデータの読み取り及び書き込みが行われる。なお、情報取得手段としては、メモリカード４０等から取り込んだデータを記憶する内部メモリであっても良い。
【００２７】
入力装置１０は、メモリカード４０に記憶されたデータファイル４１と変換ファイル４２から、ラベル２を印刷するために必要な情報、及び特定情報３と項目情報４等のラベル２の内容に関する情報等が表示される表示部１２を備える。また、メモリカード４０に記憶されたデータファイル４１と変換ファイル４２から、ラベル２を印刷するための操作、及びラベル２の内容の修正や追加、変更等の編集の操作が行われる入力操作部１３を備える。
【００２８】
表示部１２は表示手段の一例で、例えば液晶ディスプレイ等で構成される。入力操作部１３は情報入力手段の一例で、文字や数字の入力、及び情報の選択や決定等が行える複数のボタンを備えたキー入力装置である。また、入力操作部１３は、外部インタフェース１３ａに接続されるバーコードリーダ等、２次元コードや１次元コード等を読み取る光学的情報読取装置１０ａである。
【００２９】
入力装置１０は、メモリカード４０に記憶されたデータファイル４１と変換ファイル４２から、ラベル２を印刷するための制御、及びラベル２の内容を編集するための制御等が行われるＭＰＵ（Micro Processing Unit）１４と、ＭＰＵ１４で実行されるプログラム等が記憶されるＲＯＭ（Read Only Memory）１５と、ＭＰＵ１４で印刷制御及び編集制御等が行われる際に、データを一時的に記憶するＲＡＭ（Random Access Memory ）１６と、印刷装置２０が接続される通信インタフェース（Ｉ／Ｆ）１７を備える。
【００３０】
印刷装置２０は、ラベル２を印刷する印刷部２１を備える。印刷部２１は、本例では熱転写方式が用いられ、サーマルヘッドと、ラベル２を搬送する搬送機構等を有する。
【００３１】
また、印刷装置２０は、入力装置１０から出力されたデータからラベル２を印刷するための制御等が行われるＭＰＵ２２を備える。更に、ＭＰＵ２２で実行されるプログラム等が記憶されるＲＯＭ２３と、ＭＰＵ２２で印刷制御等が行われる際に、データを一時的に記憶するＲＡＭ２４と、入力装置１０が接続される通信Ｉ／Ｆ２５を備える。なお、ラベルプリンタは、入力装置と印刷装置が一体化されたものであっても良い。
【００３２】
入力装置１０のＭＰＵ１４は制御手段の一例で、入力操作部１３での操作により、メモリカード４０からデータファイル４１と変換ファイル４２を読み出し、印刷するラベル２を選択する情報、及び、特定情報３と項目情報４等のラベル２の内容に関する情報を表示部１２に表示する。
【００３３】
また、ＭＰＵ１４は、入力操作部１３での操作により取得した符号化情報５を、変換ファイル４２から取得した変換規則に従い復号化して特定情報３と項目情報４に変換し、項目情報４で特定される項目に、印刷装置２０で特定情報３をラベル２に印刷して出力する。
【００３４】
図４は、変換ファイルの一例を示す説明図である。変換ファイル４２は変換規則情報の一例で、図４（ａ）に示すように、符号化情報である入力値Ａを復号化された出力値Ｂに変換する変換規則が定義された変換テーブル４２Ａ、及び、図４（ｂ）に示すように、合成された入力値Ａを分割して個別の出力値Ｂに変換する変換規則が定義された変換テーブル４２Ｂ等で構成される。
【００３５】
図４（ａ）に示す変換テーブル４２Ａでは、符号化情報である入力値Ａを、予め定められた方式で復号化して、ラベル２に印刷される特定情報３の値である出力値Ｂに変換する復号化変換規則が定義される。
【００３６】
図４（ａ）に示す例では、入力値Ａと出力値Ｂを模式的に表記しているが、入力値Ａは、２次元コード、１次元コード、１桁の数字、数字の組み合わせ、１文字のアルファベット、アルファベットの組み合わせ、数字とアルファベットの組み合わせ等で表記される予め定められた符号化情報である。特定情報３の値である出力値Ｂは、商品名、製品名、会社名等、漢字、ひらがな、カタカナ、アルファベット、数字等で表記される予め定められた文字情報である。なお、特定情報３の値である出力値Ｂは、１次元コード等の符号化情報であっても良く、入力値Ａである符号化情報を、別の符号化情報に変換して出力することも可能とする。
【００３７】
図４（ｂ）に示す変換テーブル４２Ｂでは、合成された符号化情報である入力値Ａを、予め定められた方式で分割して、例えば図４（ａ）に示すような変換テーブル４２Ａで復号できる個別の出力値Ｂに変換する復号化変換規則が定義される。
【００３８】
図４（ｂ）に示す例では、入力値Ａは、符号化された個別の特定情報３を、例えば所定の順番で配列した符号化情報である。出力値Ｂは、個別の特定情報３の値が符号化された符号化情報である。本例では、＜ＡＡ＞との表記は、項目名「ＡＡ」における特定情報３の値が符号化された符号化情報で、図４（ａ）に示す変換テーブル４２Ａで復号できる値である。なお、復号化及び分割の方式は、上述した例に限るものではなく、演算等により求めても良い。
【００３９】
変換ファイル４２は、ラベル２を識別する識別番号、項目情報４で特定される特定情報３の項目名、または、特定情報３に関連付けた任意の名称で、ファイル名４３が付けられる。
【００４０】
図５は、ラベルプリンタで表示部に表示される情報入力画面の一例を示す説明図である。ラベルプリンタ１ＡのＭＰＵ１４は、図５（ａ）に示す情報入力画面４５ａでは、ラベル２を識別する識別番号４６の入力画面を表示部１２に表示することで、印刷するラベル２を選択可能としている。また、ラベルプリンタ１ＡのＭＰＵ１４は、図５（ｂ）に示す情報入力画面４５ｂでは、ラベル２に印刷される項目に対して予め定められる表示名４４と特定情報３の値を対応付けて表示部１２に表示することで、印刷するラベル２の内容を確認及び変更可能としている。
【００４１】
ラベルプリンタ１Ａでは、情報入力画面４５ａに表示される識別番号４６及び情報入力画面４５ｂに表示される表示名４４を利用して、値が変更可能に設定された特定情報に対応する入力値の変換規則を取得する。
【００４２】
すなわち、ＭＰＵ１４は、情報入力画面４５ａに表示される識別番号４６または情報入力画面４５ｂに表示される表示名４４で特定される変換ファイル４２、あるいは、識別番号４６で特定される変換ファイル４２と表示名４４で特定される変換ファイル４２を読み出す。変換ファイル４２のファイル名４３は、情報入力画面４５ａに表示される識別番号４６または情報入力画面４５ｂに表示される表示名４４に関連付けられた情報に設定される。
【００４３】
ＭＰＵ１４は、表示部１２に表示された情報入力画面４５ａで、印刷するラベル２を識別する識別番号４６が入力されると、識別番号４６で特定される変換ファイル４２を読み出す。また、ＭＰＵ１４は、値を入力または変更する特定情報３に対応した表示名４４が入力操作部１３の操作で選択されると、表示名４４で特定される変換ファイル４２を読み出す。
【００４４】
ＭＰＵ１４は、変換ファイル４２で定義される変換規則に従い、特定情報３の入力値である符号化情報を復号して特定情報３に変換する。そして、入力操作部１３が操作されて印刷が指示されると、レイアウトデータと特定情報３等を通信Ｉ／Ｆ１７から印刷装置２０へ出力する。
【００４５】
＜本実施の形態のラベルプリンタの動作例＞
図６は、ラベルを作成する処理の具体例を示す動作説明図、図７は、変換ファイルの具体例を示す説明図であり、次に、各図を参照して、本実施の形態のラベルプリンタ１Ａの動作について説明する。
【００４６】
ラベルプリンタ１Ａは、データファイル４１と変換ファイル４２が作成されて保存してあるメモリカード４０が入力装置１０にセットされる。入力装置１０のＭＰＵ１４は、複数種類のラベルのレイアウトデータが作成されている場合は、図５（ａ）に示す情報入力画面４５ａを呼び出し、ラベル２を識別する識別番号４６の入力画面を表示部１２に表示する。
【００４７】
入力装置１０のＭＰＵ１４は、表示部１２に表示された情報入力画面４５ａで、印刷するラベル２を識別する識別番号４６が入力されて、印刷対象のラベル２が選択されると、入力された識別番号４６で特定されるファイル名４３の変換ファイル４２を読み出す。
【００４８】
図６に示す符号化情報５は、本例では、商品の品名と、商品を製造した会社名と、商品が製造された製造日を示す情報が合成されて符号化された２次元コードであり、例えば伝票４７等に印刷されている。
【００４９】
入力装置１０のＭＰＵ１４は、図６に示すような符号化情報５を光学的情報読取装置１０ａで読み取ると、変換ファイル４２で定義された所定の変換規則に従い、２次元コードを数字列の符号化情報に変換し、予め定められた項目毎に分割して復号し、特定情報３と項目情報４を生成する。
【００５０】
本例では、品名と会社名と製造日を示す情報が合成された２次元コードが、品名を示す符号化情報と、会社名を示す符号化情報と、製造日を示す符号化情報に分割され、各項目毎の符号化情報が、特定情報３と項目情報４に変換される。そして、項目情報４で特定される項目に特定情報３を入力する。
【００５１】
図７（ａ）に示す変換ファイル４２（１）では、項目情報４で特定される項目である「品名」がファイル名４３に設定され、予め定められた符号化情報である入力値Ａが、商品の名称を示す特定情報３である出力値Ｂに変換される規則が定義される。図７（ｂ）に示す変換ファイル４２（２）では、項目情報４で特定される項目である「会社名」がファイル名４３に設定され、予め定められた符号化情報である入力値Ａが、会社名を示す特定情報３である出力値Ｂに変換される規則が定義される。図７（ｃ）に示す変換ファイル４２（３）では、項目情報４で特定される項目である「製造日」がファイル名４３に設定され、予め定められた符号化情報である入力値Ａが、所定の表記の製造日を示す特定情報３である出力値Ｂに変換される規則が定義される。
【００５２】
これにより、例えば、「品名」の項目には、項目情報４で項目が「品名」に指定された特定情報３の値としての出力値Ｂが入力される。本例では饅頭あるいは団子と入力される。同様に、「会社名」の項目には、項目情報４で項目が「会社名」に指定された特定情報３の値としての出力値Ｂが入力される。本例では○△菓子と入力される。「製造日」の項目には、項目情報４で項目が「製造日」に指定された特定情報３の値としての出力値Ｂが入力される。本例ではｙｙ．ｍｍ．ｄｄと入力される。
【００５３】
本例では、「品名」の項目には「饅頭」と入力され、「会社名」の項目には「○△菓子」と入力され、「製造日」の項目には「２００９．１．３０」と入力される。
【００５４】
ＭＰＵ１４は、所定の項目について特定情報３が入力され、入力操作部１３が操作されて印刷が指示されると、レイアウトデータと特定情報３等を通信Ｉ／Ｆ１７から印刷装置２０へ出力する。
【００５５】
印刷装置２０のＭＰＵ２２は、入力装置１０からデータを受信すると、印刷部２１を制御してラベル２を印刷する。印刷装置２０では、図６に示すように、特定情報３として、商品の品名と、商品を製造した会社名と、商品が製造された製造日をラベル用紙に印刷して、ラベル２を発行する。
【００５６】
なお、ラベル２を作成する動作で、符号化情報５に含まれる品名が、例えば「団子」である２次元コードを読み取ると、品名に対応する符号化情報が復号されて「団子」に変換され、「品名」の項目に「団子」と印刷されたラベル２が発行される。
【００５７】
以上の動作例では、符号化情報５に含まれる全ての情報について復号して、ラベル２に印刷することとしたが、所定の項目を選択して、ラベル２に印刷される特定情報３を生成することも可能である。例えば、図５（ｂ）に示す情報入力画面４５ｂに表示される表示名４４で項目を選択し、符号化情報５から読み取った情報の中で対応する特定情報３の値を入力できるようにしても良い。
【００５８】
上述した例では、複雑な２次元コードを、品名等の文字情報、製造日等の数字情報を変換するものとしたが、２次元コードを単数または複数項目の１次元コードに変換できるようにしても良い。具体的には、２次元コードの情報を１次元コードに変換する変換規則を備えることとすれば良い。また、複雑な文字列を単純な文字列に変換できるようにしても良い。
【００５９】
＜本実施の形態の情報処理装置の構成例＞
図８は、本実施の形態の情報処理装置の一例を示す機能ブロック図であり、次に、上述したラベルプリンタ１Ａで印刷されるラベル２を作成する機能を有した情報処理装置について説明する。
【００６０】
本実施の形態の情報処理装置５０Ａは、パーソナルコンピュータで構成され、メモリカード４０が接続される外部インタフェース（Ｉ／Ｆ）５１を備える。外部インタフェース５１は、メモリカード４０が挿抜される図示しないスロットと、メモリカード４０に設けられた図示しない端子と接続する端子等を備え、メモリカード４０に対してデータの読み取り及び書き込みが行われる。
【００６１】
情報処理装置５０Ａは、作成するラベル２のレイアウトデータ及び属性の設定等の画面が表示される表示部５２と、ラベル２を作成する操作等が行われる入力操作部５３を備える。
【００６２】
表示部５２は表示手段の一例で、例えば液晶ディスプレイ等で構成される。入力操作部５３は入力手段の一例で、文字や数字の入力、及び情報の選択や決定等が行えるキーボード、及びマウス等のポインティングデバイスで構成される。
【００６３】
情報処理装置５０Ａは、ラベル作成プログラムに従い上述したデータファイル４１と変換ファイル４２を作成する制御等が行われるＭＰＵ５４と、ＭＰＵ５４で実行されるラベル作成プログラム等が記憶されるＲＯＭ５５と、ＭＰＵ５４で印刷制御及び編集制御等が行われる際に、データを一時的に記憶するＲＡＭ５６と、ラベルプリンタ１Ａと直接接続する際等に使用される通信インタフェース（Ｉ／Ｆ）５７を備える。
【００６４】
ＭＰＵ５４は制御手段の一例で、入力操作部５３での操作に基づいて、上述した項目情報４及び特定情報３の入力及び配置の設定、特定情報３の書き換えを可能とするか否か等の属性の設定を行って、データファイル４１と変換ファイル４２を作成する。
【００６５】
図９は、情報処理装置で表示部に表示されるラベル作成画面の一例を示す説明図である。ＭＰＵ５４は、ラベル表示領域６０と属性設定領域６１等を有したラベル作成画面６２を表示部５２に表示する。ＭＰＵ５４は、ラベル表示領域６０に、作成するラベルのレイアウトを示すレイアウト情報６３を表示する。
【００６６】
ＭＰＵ５４は、入力操作部５３での操作に従い、レイアウト情報６３の任意の位置に特定情報３が入力される特定情報入力枠６４ａを設定し、特定情報３の値を入力可能とする。また、ＭＰＵ５４は、入力操作部５３での操作に従い、レイアウト情報６３の任意の位置に項目情報４が入力される項目情報入力枠６５を設定し、項目情報４の値を入力可能とする。
【００６７】
ラベル表示領域６０において、項目情報入力枠６５には、ラベル２に実際に印刷される項目情報４の内容が入力される。一方、特定情報入力枠６４ａには、値を変更可能としない特定情報については、ラベル２に実際に印刷される特定情報３の値が入力される。これに対して、値を変更可能とする特定情報については、ラベル２に実際に印刷される特定情報３の値が入力されても良いし、実際に印刷される値の桁数等に合わせた任意の数字列や文字列が入力されるようにしても良い。
【００６８】
属性設定領域６１には、特定情報３の値の変更を、ラベルプリンタ１Ａで行えるようにするか否かが設定される変更許可チェックボックス６６と、値を変更可能とした特定情報３に対応付けられる表示名４４が入力される表示名入力部６７を備える。また、属性設定領域６１には、ラベル２に印刷される特定情報３の値を符号化情報から取得するか否かが設定される符号化情報取得チェックボックス６８を備える。
【００６９】
ＭＰＵ５４は、変更許可チェックボックス６６にチェックが入れられると、表示名入力部６７で入力された表示名４４に関連付けられた特定情報３の値が変更可能な設定にする。また、ＭＰＵ５４は、符号化情報取得チェックボックス６８にチェックが入れられると、表示名入力部６７で入力された表示名４４に関連付けられた特定情報３の値を符号化情報から取得する設定にする。
【００７０】
ＭＰＵ５４は、表計算ソフトウエア等を利用して、図７で説明したような変換ファイル４２を作成する。この変換ファイル４２のファイル名４３と、表示名入力部６７で入力された表示名４４を関連付ける。例えば、表示名入力部６７で入力された表示名４４をファイル名として、変換ファイル４２が作成されるようにしても良い。
【００７１】
また、ラベル表示領域６０で値を変更可能とする特定情報３が入力される特定情報入力枠６４ａに入力された名称と、表示名入力部６７で入力された表示名４４を関連付ける。
【００７２】
そして、表示名入力部６７で入力された表示名４４をラベルプリンタ１Ａで表示して、特定情報３の値を変更する操作を受ける制御を、ラベルプリンタ１Ａで行えるようにデータを構成する。また、ラベルプリンタ１Ａで表示名４４を表示した特定情報３について、表示名４４で関連付けられた変換ファイル４２を参照して、入力値である符号化情報を復号して特定情報３に変換する制御及び入力値を分割して復号し特定情報３に変換する制御を、ラベルプリンタ１Ａで行えるようにデータを構成する。更に、表示名４４で関連付けられた特定情報入力枠６４ａで特定される位置に、変換ファイル４２に従って変換された特定情報３の値を入れてラベル２を作成する制御を、ラベルプリンタ１Ａで行えるようにデータを構成する。
【００７３】
情報処理装置５０Ａは、上述したようにラベルプリンタ１Ａでラベルの変更が行えるように構成されたデータファイル４１と変換ファイル４２を作成して、メモリカード４０に記憶する。
【００７４】
本発明では、上述したラベルプリンタ１Ａと情報処理装置５０Ａを備えて、ラベル作成システムが構成される。情報処理装置５０Ａで作成されたデータファイル４１と変換ファイル４２が記憶されたメモリカード４０がラベルプリンタ１Ａにセットされる。ラベルプリンタ１Ａは、ラベル２のレイアウトデータ等を、メモリカード４０から取り込み、特定情報３の値が入力されたラベル２のデータを印刷装置２０に出力して、印刷装置２０でラベル２を印刷する。
【００７５】
＜本実施の形態の情報処理装置の動作例＞
図１０は、情報処理装置で表示部に表示されるラベル作成画面の具体例を示す説明図であり、次に、各図を参照して、本実施の形態の情報処理装置５０Ａの動作例について説明する。本動作例では、図６に示すラベル２のデータを作成するものとする。
【００７６】
ラベル作成画面６２において、ラベル表示領域６０で項目情報入力枠６５を設定し、図１０に示すように、項目情報４として「品名」という文字列を入力する。また、ラベル表示領域６０で特定情報入力枠６４ａを設定し、図１０に示すように、特定情報３として、項目名に合わせた「品名」という文字列を入力する。なお、特定情報入力枠６４ａには、任意の文字列や、「饅頭」等の具体的な商品名を入力しても良い。一方、表示名入力部６７に表示名４４として「品名」という文字列を入力する。また、変更許可チェックボックス６６と符号化情報取得チェックボックス６８にチェックを入れる。そして、図７（ａ）に示すように、ファイル名４３を「品名」とした変換ファイル４２（１）を作成する。
【００７７】
次に、ラベル作成画面６２において、ラベル表示領域６０で項目情報入力枠６５を設定し、図１０に示すように、項目情報４として「会社名」という文字列を入力する。また、ラベル表示領域６０で特定情報入力枠６４ａを設定し、図１０に示すように、特定情報３として、項目名に合わせた「会社名」という文字列を入力する。なお、特定情報入力枠６４ａには、任意の文字列や、「○△菓子」等の具体的な会社名を入力しても良い。一方、表示名入力部６７に表示名４４として「会社名」という文字列を入力する。また、変更許可チェックボックス６６と符号化情報取得チェックボックス６８にチェックを入れる。そして、図７（ｂ）に示すように、ファイル名４３を「会社名」とした変換ファイル４２（２）を作成する。
【００７８】
次に、ラベル作成画面６２において、ラベル表示領域６０で項目情報入力枠６５を設定し、図１０に示すように、項目情報４として「製造日」という文字列を入力する。また、ラベル表示領域６０で特定情報入力枠６４ａを設定し、図１０に示すように、特定情報３として、項目名に合わせた「製造日」という文字列を入力する。なお、特定情報入力枠６４ａには、想定される日付の桁数に合わせた任意の文字列等を入力しても良い。一方、表示名入力部６７に表示名４４として「製造日」という文字列を入力する。また、変更許可チェックボックス６６と符号化情報取得チェックボックス６８にチェックを入れる。そして、図７（ｃ）に示すように、ファイル名４３を「製造日」とした変換ファイル４２（３）を作成する。
【００７９】
情報処理装置５０Ａでは、図１０に示すようなラベルのレイアウトデータで構成されるデータファイル４１と、図７に示すような変換ファイル４２がメモリカード４０に記憶される。これにより、このメモリカード４０をラベルプリンタ１Ａにセットして、上述したラベル発行処理の操作を行うことで、２次元コード化された符号化情報５から、特定情報３である品名、会社名、及び製造日を生成して、図６に示すようなラベル２の印刷が可能となる。
【００８０】
また、例えば、表示名入力部６７に表示名４４として「会社名」と入力した項目で、変更許可チェックボックス６６にチェックを入れなければ、ラベルプリンタ１Ａでは、会社名の項目については、値の変更を不可能とすることができる。
【産業上の利用可能性】
【００８１】
本発明は、ラベルを作成する装置とラベルを印刷する装置が独立した構成で、印刷装置だけでラベルの印刷が可能なラベルプリンタに適用できる。
【符号の説明】
【００８２】
１Ａ・・・ラベルプリンタ、２・・・ラベル、３・・・特定情報、４・・・項目情報、１０・・・入力装置、１０ａ・・・光学的情報読取装置、２０・・・印刷装置、４０・・・メモリカード、４１・・・データファイル、４２・・・変換ファイル、４３・・・ファイル名、４４・・・表示名、５０Ａ・・・情報処理装置、６０・・・ラベル表示領域、６１・・・属性設定領域、６２・・・ラベル作成画面、６３・・・レイアウト情報、６４ａ・・・特定情報入力枠、６４ｂ・・・符号化情報入力枠、６５・・・項目情報入力枠、６６・・・変更許可チェックボックス、６７・・・表示名入力部、６８・・・符号化情報取得チェックボックス
【図１】
2010221428.tif 000003
【図２】
2010221428.tif 000004
【図３】
2010221428.tif 000005
【図４】
2010221428.tif 000006
【図５】
2010221428.tif 000007
【図６】
2010221428.tif 000008
【図７】
2010221428.tif 000009
【図８】
2010221428.tif 000010
【図９】
2010221428.tif 000011
【図１０】
2010221428.tif 000012